(57)【特許請求の範囲】
【請求項１】
ファンプーリを装着した回転軸を軸支する軸受部を固定する軸受支持台を有する骨組枠本体と、
モータプーリを装着した電動機を固定する電動機固定具を前記骨組枠本体に取り付け可能とし、
前記回転軸に装着される羽根と、
前記ファンプーリと前記モータプーリに掛けて前記羽根を回転駆動するベルトを備えた換気扇であって、
前記骨組枠本体は、Ｌ型鋼を正方形状に組んで構成したうえで、前記軸受支持台と前記電動機固定具を取り付け、
中央に開口を形成し、前記骨組枠本体の前記Ｌ型鋼に嵌合するように設けられるベルマウスを別体で構成し、
このベルマウスは、発泡成形樹脂材料で形成され、周方向に４分割した個片で構成されることを特徴とする換気扇。
【請求項２】
回転軸を軸支する軸受部を固定する軸受支持台を有する骨組枠本体と、
前記回転軸に直結する電動機を固定する電動機固定具を前記骨組枠本体に取り付け可能とし、
前記回転軸に装着される羽根を備えた換気扇であって、
前記骨組枠本体は、Ｌ型鋼を正方形状に組んで構成したうえで、前記軸受支持台と前記電動機固定具を取り付け、
中央に開口を形成し、前記骨組枠本体の前記Ｌ型鋼に嵌合するように設けられるベルマウスを別体で構成し、
このベルマウスは、発泡成形樹脂材料で形成され、周方向に４分割した個片で構成されることを特徴とする換気扇。
【請求項３】
骨組枠本体に２本の架台を設け、前記架台間でかつ前記骨組枠本体の上方位置に支持具を中央位置に軸受支持台を設けたことを特徴とする請求項１または請求項２記載の換気扇。
【請求項４】
羽根を回転駆動する電動機を通気流路に設けたことを特徴とする請求項１または２記載の換気扇。
【請求項５】
羽根を回転駆動する電動機を、骨組枠本体の天空上部に取付けたことを特徴とする請求項４記載の換気扇。
【請求項６】
電動機固定具をコの字状に設け、軸受支持台と電動機の互いに平行する軸心間隔方向に長くなる細長い取付用の細長穴を骨組枠本体に設けて、電動機固定具を固定することを特徴とする請求項１または２記載の換気扇。
【請求項７】
骨組枠本体と電動機固定具の距離を調整する調節用ボルトとナットもしくはネジ穴構成としたことを特徴とする請求項１または２記載の換気扇。
【請求項８】
電動機固定具が回動により骨組枠本体の領域内に納まり、施工時には開くことができる構成にしたことを特徴とする請求項１から請求項７のいずれかに記載の換気扇。
【請求項９】
骨組枠本体の外周に外枠を配設して箱構造に収納したことを特徴とする請求項１から請求項８のいずれかに記載の換気扇。
【請求項１０】
前記骨組枠本体に回転具を設け、開閉自在な保護ガードを設けたことを特徴とする請求項９記載の換気扇。
【請求項１１】
骨組枠本体を枠と骨組体に分離可能としたことを特徴とする請求項１または請求項２記載の換気扇。
【発明の詳細な説明】
【技術分野】
【０００１】
本発明は、鶏舎や温室等において使用される汚染した空気の排出および新鮮空気の導入により鶏舎や温室等の内部の冷却をおこなう換気扇に関する。
【背景技術】
【０００２】
従来、この種の換気扇は、ベルマウスを設けた四角い外枠に固定された支持枠に、回転自在に支持した羽根を、外枠の四隅の一つに設けた電動機でプーリとベルトを介して駆動するようにされたものが知られている（例えば、特許文献１或いは３、５参照）。
【０００３】
以下、その換気扇について図８および図９を参照しながら説明する。
【０００４】
図に示すように、中央にベルマウスを設けた扁平方形の外枠１０１に、ベルマウスをまたぐ様に並設した２本のパイプ１０２と、外枠１０１の四隅の一つにモータ支持台１０３を固定し、２本のパイプ１０２にシャフト支持台１０４を架設し、このシャフト支持台１０４に設けた軸受１０５に回転軸１０６が貫通して軸支され、その両端に羽根１０７とファンプーリ１０８が固定される。モータ支持台１０３には、ファンプーリ１０８と同一平面状となるようにモータプーリ１０９を取り付けた電動機１１０を固定し、モータプーリ１０９とファンプーリ１０８には、ベルト１１１を掛けてある。電動機１１０が回転すると回転力はモータプーリ１０９からベルト１１１を介してファンプーリ１０８に伝わり、回転軸１０６の他端に固定された羽根１０７が回転駆動され送風する。この構成では、本体である外枠に固定された軸受を貫通して軸支される回転軸の一端に羽根を、他端にファンプーリを、軸受を中に挟んで装着されることで回転軸に掛かる荷重は平均される。また、ファンプーリとモータプーリは同一側に露出することから、消耗品であるベルトの補修保全を容易にしている。そして使用場所への据付は、外枠１０１の外辺近くに設けた複数の取付穴を介してねじやボルト・ナットにより固定されるものが通常である。
【０００５】
また、この種の換気扇には安全性を向上したもの（例えば、特許文献２参照）がある。
【０００６】
また、この種の換気扇には電動機近辺のベルマウスの一部を切り欠き、通風流を利用して、電動機を冷却しているものもある（例えば、特許文献４参照）。
【０００７】
また、この種の換気扇には保護ガードを設けているものもある（例えば、特許文献６〜１０参照）。
【０００８】
また、この種の換気扇は鶏舎や温室等の壁面に多数取り付け、必要な換気量を確保していた（例えば、特許文献１１〜１２参照）。
【先行技術文献】
【特許文献】
【０００９】
【特許文献１】特開昭６２−１２９６３４号公報（第２頁、第１及び２図）
【特許文献２】特開昭５４−１４７５０６号公報
【特許文献３】特開昭５４−１４７６４６号公報
【特許文献４】実開昭５５−６４０３５号公報
【特許文献５】実開昭５５−１５７６３６号公報
【特許文献６】実開昭５７−１６００３４号公報
【特許文献７】実開昭５７−１６００３５号公報
【特許文献８】実開昭５８−７８４１９号公報
【特許文献９】実開昭５８−８３０１９号公報
【特許文献１０】実開昭５８−８３０２０号公報
【特許文献１１】特開平１０−１１７６２４号公報
【特許文献１２】特開平１１−１４６７３９号公報
【発明の概要】
【発明が解決しようとする課題】
【００１０】
近年、鶏舎および温室等の大型化により、換気扇等の台数も増加してきている。この換気扇の増加に伴い、イニシャルコストおよびランニングコストの増加となるため、換気扇自体を大型化して取り付け台数を減少させたいという要望がある。
【００１１】
しかし、このような従来の換気扇で大型化すると、風切り音等により騒音が発生し、近隣住民の苦情および鶏舎内の鶏のストレスが生じるという課題があった。
【００１２】
また、大型化することにより重量が増し、施工性が悪くなり、現場への設置工数が多く掛かるという問題があった。
【００１３】
本発明は、このような従来の課題を解決するものであり、低騒音にし、軽量でかつ保守点検が容易な換気扇を提供することを目的としている。
【課題を解決するための手段】
【００１４】
本発明の換気扇は上記目的を達成するために、ファンプーリを装着した回転軸を軸支する軸受部を固定する軸受支持台を有する骨組枠本体と、モータプーリを装着した電動機を固定する電動機固定具を前記骨組枠本体に取り付け可能とし、前記回転軸に装着される羽根と、前記ファンプーリと前記モータプーリに掛けて前記羽根を回転駆動するベルトを備えた換気扇であって、前記骨組枠本体は、Ｌ型鋼を正方形状に組んで構成したうえで、前記軸受支持台と前記電動機固定具を取り付け、中央に開口を形成し、前記骨組枠本体の前記Ｌ型鋼に嵌合するように設けられるベルマウスを別体で構成し、このベルマウスは、発泡成形樹脂材料で形成され、周方向に４分割した個片で構成されることを特徴とする。
【００１５】
また、回転軸を軸支する軸受部を固定する軸受支持台を有する骨組枠本体と、前記回転軸に直結する電動機を固定する電動機固定具を前記骨組枠本体に取り付け可能とし、前記回転軸に装着される羽根を備えた換気扇であって、前記骨組枠本体は、Ｌ型鋼を正方形状に組んで構成したうえで、前記軸受支持台と前記電動機固定具を取り付け、中央に開口を形成し、前記骨組枠本体の前記Ｌ型鋼に嵌合するように設けられるベルマウスを別体で構成し、このベルマウスは、発泡成形樹脂材料で形成され、周方向に４分割した個片で構成されることを特徴とする。
【００１６】
また、骨組枠本体に２本の架台を設け、前記架台間でかつ前記骨組枠本体の上方位置に支持具を中央位置に軸受支持台を設けたことを特徴とする。
【００１７】
また、羽根を回転駆動する電動機を通気流路に設けたことを特徴とする。
【００１８】
また、羽根を回転駆動する電動機を、骨組枠本体の天空上部に取付けたことを特徴とする。
【００１９】
また、電動機固定具をコの字状に設け、軸受支持台と電動機の互いに平行する軸心間隔方向に長くなる細長い取付用の細長穴を骨組枠本体に設けて、電動機固定具を固定することを特徴とする。
【００２０】
また、骨組枠本体と電動機固定具の距離を調整する調節用ボルトとナットもしくはネジ穴構成としたことを特徴とする。
【００２１】
また、電動機固定具が回動により骨組枠本体の領域内に納まり、施工時には開くことができることを特徴とする。
【００２２】
また、骨組枠本体の外周に外枠を配設して箱構造に収納したことを特徴とする。
【００２３】
また、前記骨組枠本体に回転具を設け、開閉自在な保護ガードを設けたことを特徴とする。
【００２４】
また、骨組枠本体を枠と骨組体に分離可能としたことを特徴とする。
【発明の効果】
【００２５】
以上の説明から明らかなように本発明によれば、骨組枠本体に重量物である軸受部を固定する軸受支持台と電動機を固定する電動機固定具を取り付け、それに前記回転軸に装着される羽根を取り付けた構成とした換気扇に、前記骨組枠本体は、Ｌ型鋼を正方形状に組んで構成したうえで、前記軸受支持台と前記電動機固定具を取り付け、中央に開口を形成し、前記骨組枠本体の前記Ｌ型鋼に嵌合するように設けられるベルマウスを別体で構成し、このベルマウスは、発泡成形樹脂材料で形成され、周方向に４分割した個片で構成されることにより、羽根径が大きくなっても、発泡成形樹脂材料で形成したベルマウスによって騒音の低減を図り、近隣住民の騒音対策を図り、家畜や家禽の成育を向上する効果のある換気扇を提供できる。
【００２６】
また、発泡成形樹脂材料で形成したベルマウス構造にすることにより、重量の軽量化をはかることが可能となり、大型化に伴う施工性の不具合を解決し、保守点検も容易となる。
【図面の簡単な説明】
【００２７】
【図１】本発明の実施例１による換気扇を示す外観斜視図
【図２】同換気扇を示す破断側面図
【図３】同換気扇の骨組枠本体を示す外観斜視図
【図４】同電動機固定具を示す外観斜視図
【図５】同電動機固定具の調節構造を示す外観斜視図
【図６】同骨組枠本体とベルマウス付近の関係を示す外観斜視図
【図７】本発明の実施例２による換気扇を示す外観斜視図
【図８】従来の換気扇の構成を示す要部破断側面図
【図９】同正面図
【発明を実施するための形態】
【００２８】
本発明の第１の実施の形態は、ファンプーリを装着した回転軸を軸支する軸受部を固定する軸受支持台を有する骨組枠本体と、モータプーリを装着した電動機を固定する電動機固定具を前記骨組枠本体に取り付け可能とし、前記回転軸に装着される羽根と、前記ファンプーリと前記モータプーリに掛けて前記羽根を回転駆動するベルトを備え、前記骨組枠本体は、Ｌ型鋼を正方形状に組んで構成したうえで、前記軸受支持台と前記電動機固定具を取り付け、中央に開口を形成し、前記骨組枠本体の前記Ｌ型鋼に嵌合するように設けられるベルマウスを別体で構成し、このベルマウスは、発泡成形樹脂材料で形成され、周方向に４分割した個片で構成としたことにより、重量物は前記骨組枠本体で負担され、ベルマウスは別取り付けの構造で、かつ、軽量で吸音性がある発泡性材料をベルマウスにして、羽根の回転に伴い発生する気流音の吸収をしたり、軽量化を図ることができ、市場要求に応じた換気扇の提供が可能となる。また、ベルマウスの個片ごとに取り付けることができるため、ベルマウスの製作および組み付けが容易になる。
【００２９】
本発明の第２の実施の形態は、回転軸を軸支する軸受部を固定する軸受支持台を有する骨組枠本体と、前記回転軸に直結する電動機を固定する電動機固定具を前記骨組枠本体に取り付け可能とし、前記回転軸に装着される羽根を備え、前記骨組枠本体は、Ｌ型鋼を正方形状に組んで構成したうえで、前記軸受支持台と前記電動機固定具を取り付け、中央に開口を形成し、前記骨組枠本体の前記Ｌ型鋼に嵌合するように設けられるベルマウスを別体で構成し、このベルマウスは、発泡成形樹脂材料で形成され、周方向に４分割した個片で構成されることにより、重量物は前記骨組枠本体で負担され、ベルマウスは別取り付けの構造で、かつ、軽量で吸音性がある発泡性材料をベルマウスにして、羽根の回転に伴い発生する気流音の吸収をしたり、軽量化を図ることができ、市場要求に応じた換気扇の提供が可能となる。また、ベルマウスの個片ごとに取り付けることができるため、ベルマウスの製作および組み付けが容易になる。
【００３０】
また、骨組枠本体に２本の架台を設け、前記架台間でかつ前記骨組枠本体の上方位置に支持具を中央位置に軸受支持台を設けた構成とする。
【００３１】
また、羽根を回転駆動する電動機を通気流路に設けた構成にすることにより、電動機に気流が直接あたるため、冷却作用が働くようになる。
【００３２】
また、羽根を回転駆動する電動機を、骨組枠本体の天空上部に取付けた構成とすることにより、本体の洗浄時、電動機部分の水切れが良く、電気絶縁の低下を阻止できる。
【００３３】
また、電動機固定具をコの字状に設け、軸受支持台と電動機の互いに平行する軸心間隔方向に長くなる細長い取付用の細長穴を骨組枠本体に設けて、電動機固定具を固定する構成とすることにより、電動機固定具の取り付け取り外しが容易になり、組み付け作業時および保守メンテが容易になる。
【００３４】
また、骨組枠本体と電動機固定具の間の距離を調整する調節用ボルトとナットもしくはネジ穴構成としたため、モータプーリとファンプーリの距離調整やベルトの交換が簡易となり、施工時および保守点検を容易にすることができる。
【００３５】
また、電動機固定具が回動により骨組枠本体の領域内に納まり、施工時には開くことができる構成にしたことにより、電動機とそれ以外の換気扇を別体で発送および手配が可能となる。
【００３６】
また、骨組枠本体の外周に外枠を配設して箱構造に収納した構成としたことにより、外形が箱型の立方体と成ることで本体の据わり具合および取廻しが良くなる。
【００３７】
また、前記骨組枠本体に回転具を設け、開閉自在な保護ガードを設けた構成とすることにより、容易に開閉できるため、内部のプーリおよび電動機のメンテ工数が短時間でおこなえる。
【００３８】
また、骨組枠本体を枠と骨組体に分離可能とした構成とする。
【００３９】
以下、本発明の実施の形態について図面を参照しながら説明する。
【実施例】
【００４０】
（実施例１）
本発明の実施例１について、図１から図６に基づいて説明する。図１は本発明の実施例１による換気扇を示す外観斜視図、図２は同換気扇を示す破断側面図、図３は同換気扇の骨組枠本体を示す外観斜視図、図４は同電動機固定具を示す外観斜視図、図５は同電動機固定具の調節構造を示す外観斜視図、図６は同骨組枠本体とベルマウス付近の関係を示す外観斜視図である。図１から図６に示すように、枠１は、枠軽量等辺山形鋼であるＬ形鋼２を正方形状に組み合わせて溶接構成して形成している。骨組体３は、端部Ａ・Ｂを曲げたＬ形鋼の架台４を２本平行に配置し、その中央部に軸受支持台５（後述する）である所要の貫通穴６と取付けネジ穴７を設けた方形の鋼板を溶接して固定するとともに、前記軸受支持台５と前記平行な２本の架台４の端部Ａとの間に位置し、前記平行な２本の架台４の端部Ａの内側寄りに電動機固定具８（後述する）を支持するＬ字形状をし、前記軸受支持台５に面し中心部に高さ調節用穴９を設けた支持具１０を溶接にて固定している。また、前記支持具１０と前記平行な２本の架台４の端部Ａの間に、２本の架台４の対辺に２対の電動機固定具８取付け用の細長穴１１を設けている。そして、正方形状の前記枠１の対辺であるＬ形鋼２に対して前記骨組体３の端部Ａ・Ｂを溶接固定して掛渡しをおこない骨組枠本体１２を構成する。
【００４１】
そして、前記骨組枠本体１２の軸受支持台５に有した貫通穴６には軸受部２１を取付けネジ穴７にねじ止め固定して配設し、前記軸受部２１に貫通して軸支された回転軸２２の端部には羽根２３を装着固定し、反対側の軸端にはファンプーリ２４が装着固定される。
【００４２】
また電動機固定具８は、コの字のレール形状で、前記コの字の両壁に２対の雌ねじ穴Ｃ（図示せず）を有し、端部Ｄを凹状に切り欠いた構成をした鋼板であり、電動機２５を取り付けている。そして、前記羽根２３の反対側の位置に、電動機２５を取付けた電動機固定具８を、前記２本の架台４間に、前記支持具１０に端部の凹部を挟み込んで配設し、前記雌ねじ穴Ｃに対応して設けている架台４の細長穴１１から取付ボルト２６を介して前記架台４と前記電動機固定具８を仮固定して、架台４に設けた支持具１０の高さ調節用穴９を通し、前記電動機固定具８に設けた高さ調節用ネジ穴２７に調節用ボルト２８を係止し、その調節用ボルト２９の進退によって電動機固定具８の装着位置を調節した後、前記電動機固定具８を架台４に本固定する。
【００４３】
そして、前記電動機固定具８には、ファンプーリ２４と同一平面状となるようにモータプーリ３０を取り付けた電動機２５が固定され、モータプーリ３０とファンプーリ２４にはベルト３１が掛けられている。
【００４４】
そして、前記羽根２３の取付け側に、前記骨組枠本体１２の各辺のＬ形鋼２に４個ずつの計１６個のベルマウス取付穴３３を設ける。そして、吸音効果を有した発泡成形樹脂を材質としたベルマウス３５（図示せず）を四分割し、その１片である四分割ベルマウス３２にも、ベルマウス保持用貫通穴３４設ける。そして、前記Ｌ形鋼２に四分割ベルマウス３２を合わせ、前記ベルマウス保持用貫通穴３４から平ワッシャ-付きのタッピングネジを四分割ベルマウス３２に通し前記ベルマウス取付穴３３に締め付けて固定する。そして、四分割ベルマウス３２を順次Ｌ形鋼２に取り付けて、換気扇のベルマウス３５を形成する。
【００４５】
上記構成において、電動機２５が回転すると回転力はモータプーリ３０からベルト３１を介してファンプーリ２４に伝わり、回転２２のベルマウス３２側の羽根２３が回転駆動され送風する。この構成において、電動機２５や羽根２３等の重量物は、骨組枠本体１２に取り付けて固定されるため、ベルマウス３２は、吸音効果を有する発泡成形樹脂を使用できるようになるため、前記羽根２３の回転により発生する気流音の吸収を図ることができ、換気扇に別途吸音装置を設けることなく、騒音低減した換気扇を提供することができる。また、同時に軽量化を図ることもできる。
【００４６】
また、ベルマウス３５を四分割し、四分割ベルマウス３２の個片ごとに取り付けることができるため、ベルマウス３５の製作および組み付けが容易になる。
【００４７】
また、電動機固定具８の取付ボルト２６をゆるめ、調節用ボルト２８進退によって電動機固定具８の装着位置を移動してベルト３１の張りを調節し、先にゆるめた取付ボルト２６のボルトを締付け固定する。
【００４８】
また、駆動用の電動機２５を骨組枠本体１２の上部に設け、畜舎、鶏舎の設置の際には、前記電動機２５が地面から上部の位置に取り付けられている。これにより、食品衛生上の安全確保を図る定期・不定期にわたる建物の洗浄時においても、電動機部分の電気絶縁の低下を阻止し保守保全の安全を向上する効果のある換気扇を提供できる。
【００４９】
また、電動機固定具８は、上記の取り付け状態から９０度回転することにより、Ｌ形鋼の架台４を２本平行に配置した部分に納まり、コの字形状の先端部が飛び出さない形状となる。そして、運搬した後の施工時において、それを開くことにより電動機２５を取り付けることができる。そのため、電動機２５とそれ以外の換気扇を別体で発送および手配することができ、フレキシブルな手配が可能となる。
【００５０】
なお、電動機２５の取り付け位置を下げ、ファンプーリ２４とモータプーリ３０とベルト３１を取り除き、前記軸受部２１に電動機２５のシャフトを連結する直結構造であってもよい。
【００５１】
なお、骨組枠本体１２を枠１と骨組体３が一体構造になっているが、これを骨組体３と枠１とに分離し、骨組体３に枠１をネジ固定して、骨組枠本体とすることも可能である。
【００５２】
（実施例２）
実施例２は、実施例１の換気扇に対して、周囲に板を設けた構成およびその板に開閉自在な開閉具を設けた保護ガードを設けた構成にした点が相違し、それ以外の部分は実施例１と同様であり、実施例１と同じものは同一の番号を記して詳細な説明は省略する。図６は同骨組枠本体とベルマウス付近の関係を示す外観斜視図、図７は本発明の実施例２による換気扇を示す外観斜視図である。前記骨組枠本体１２の外枠１に当るＬ形鋼の四辺に所要の間隔で複数の外枠固定用ナット４１を溶接し、この外枠固定用ナット４１に対応する外枠４２にはナットのねじ穴より少し大なる穴を設けて、換気扇の外からボルトにて締め付け固定する。また、外枠４２の上流側に、蝶番４３を前記架台４と平行に４箇所設け、その蝶番４３に保護ガード４４を２対設け、観音開きの構成とする。
【００５３】
上記構成において、従来の換気扇は本体厚さが薄く扁平であることから、地面に対して垂直方向に置くことができなかったが、外枠４２を設けることにより保管時、運送時および施工時においても地面に垂直方向に仮置きできるため、取り扱いが容易となり、作業工数等の低減となる。
【００５４】
また、金網状の保護ガード４４が観音開きに開閉自在となるため、換気扇が高所に取り付いた高所作業のメンテ時には保護ガード４４を取り外して、地面に降りて仮置きした後、作業終了時にはまた取り付けるという作業が生じていたが、保護ガード４４を開いたままで、ベルトの交換等をおこなうことが可能となるため、メンテ作業工数の低減を図ることができる。
【産業上の利用可能性】
【００５５】
本発明に係る換気扇は、その構成及び構成に係る作用効果からみて、畜産用に限定される物でなく広く一般に安全に使用され得る。
【符号の説明】
【００５６】
１    枠
３    骨組体
４    架台
５    軸受支持台
８    電動機固定具
１０  支持具
１１  細長穴
１２  骨組枠本体
２１  軸受部
２２  回転軸
２３  羽根
２４  ファンプーリ
２５  電動機
３０  モータプーリ
３２  四分割ベルマウス
４２  外枠
４４  保護ガード
【図１】
0004617712.tif 000002
【図２】
0004617712.tif 000003
【図３】
0004617712.tif 000004
【図４】
0004617712.tif 000005
【図５】
0004617712.tif 000006
【図６】
0004617712.tif 000007
【図７】
0004617712.tif 000008
【図８】
0004617712.tif 000009
【図９】
0004617712.tif 000010